(57)【要約】      （修正有）【課題】できるだけ簡易な構造で安価でしかも確実にコーヒーバッグを固定できるフック付きのコーヒーバッグを提供する。【解決手段】コーヒーバッグ１の片側に薄板状部材からなるフック片２を上辺部２１でコーヒーバッグに固着するものであるが、このフック片には、下のところではフック片に連なっており、両側と上側で切り離される舌状の支持片２３を設け、コーヒーバッグをコーヒーカップの縁に掛止する際には、この係止片をコーヒーカップ側にほぼ１８０°近くに折り曲げて、その反発によって係止片がコーヒーカップの側面を支えることによって、コーヒーバッグ全体を安定的に固定するものである。【選択図】図１
0003140084.tif 000002
【実用新案登録請求の範囲】
【請求項１】
水透過性材料からなるコーヒーバッグ本体と薄板状部材から形成されるフック片から構成されているコーヒーバッグであって、フック片は上辺部でコーヒーバッグ本体の片側に固着され、フック片には両側及び上側の３辺で切れ込みによって形成され、フック片から連らなっている境界部分を基点として折り曲げ可能な支持片と、フック片から切り離し可能でありコーヒーバッグ本体に固着されているフック片固定部とからなるコーヒーバッグ
【請求項２】
水透過性材料からなるコーヒーバッグ本体と薄板状部材から形成されるフック片から構成されているコーヒーバッグであって、フック片は上辺部でコーヒーバッグ本体の片側に固着され、両側及び上側の３辺で切れ込みによって形成され、フック片から連らなっている境界部分を基点として折り曲げ可能な支持片とからなるコーヒーバッグ
【請求項３】
フック片がほぼ丁字形状に形成されている請求項１または請求項２に記載するコーヒーバッグ
【請求項４】
フック片とこれに連なる支持片との境界部分に折り曲げ線が形成されている請求項１ないし請求項３に記載するコーヒーバッグ
【考案の詳細な説明】
【技術分野】
【０００１】
本考案は、コーヒーバッグ、特にコーヒーカップ等の容器に安定的に掛止し、コーヒー、紅茶、緑茶等を容易に抽出することができる片面フック付きのコーヒーバッグに関するものである。
すなわち、本件発明のコーヒーバッグは、コーヒー用のバッグの外に、紅茶や緑茶用の所謂ティーバッグも含むものである。
【背景技術】
【０００２】
従来、コーヒーについては、ドリップ式といわれるコーヒーを封入した容器を開封して、コーヒーカップの上に載置して、上から湯を注いでコーヒーをカップ内に落とし込むタイプのものが普及している。このタイプでは、構造が複雑になることからコストが掛かること、操作上の欠点としてはドリップをしてみないと注ぎ込んだ湯の量が解らないことから、湯を注ぎすぎでカップからコーヒーが溢れてしまうなどといった欠点がある。
【０００３】
これに対して、水透過性材料からなる袋状のコーヒーバッグ本体に粉末にしたコーヒー、紅茶、緑茶等を収納して、袋本体に吊り糸を取り付けるタイプやコーヒーバッグ本体にカップの縁に掛止するフックを設けて、バッグ本体をカップの縁に掛止するタイプがある。
【０００４】
糸を取り付けるタイプのバッグは、構造が簡単であり経費もかからないが、お湯を注いだ場合に浮き上がってしまって操作上難点がある。
【０００５】
一方フックタイプのコーヒーバッグは、フック形状に切れ目をいれた紙等の薄板部材をコーヒーバッグに貼り付け、使用時にはフックを引き起こして、これをカップの縁に掛止するものである。
【０００６】
しかし、このタイプでも浮力によって固定ができにくいこともあり、フックがバッグ本体の左右または表裏に一対設けられていたり、あるいは片側に一対設けて、しっかりとカップの縁に掛止する必要があるために、製作に費用がかかり製品が割高となるなどの欠点があった。
【０００７】
また、カップの縁にしっかりと掛止めをすると、糸でつり下げたタイプのように、コーヒーバッグを上下に誘導して、コーヒー等を抽出し易くする動作をとることができにくくなる欠点もある。
【０００８】
さらに、フックにしっかりとしたある程度の厚みのある素材を用いなければならないことによって柔軟性が失われ、その結果カップの形状によっては適用できにくくなって、カップに掛止することが難しくなることもある。
【考案の開示】
【考案が解決しようとする課題】
【０００９】
本考案の課題は、コーヒーカップ等の容器にお湯を注ぎ入れても、安定且つ安全に係止でき、しかもコーヒー、紅茶、緑茶等が効率よく抽出することのできる、簡便で安価なフック付きコーヒーバッグを提供することである。
【課題を解決するための手段】
【００１０】
係る課題を解決するために、本考案では、コーヒーバッグの片側に薄板状部材からなるフック片を上辺部でコーヒーバッグに固着するものであるが、このフック片には、下のところではフック片に連なっており、両側と上側で切り離される舌状の支持片を設け、コーヒーバッグをカップの縁に掛止する際には、この支持片をカップ側にほぼ１８０°近くに折り曲げて、その反発によって支持片がコーヒーカップの側面を支えることによって、コーヒーバッグ全体を安定的に固定するものである。
【００１１】
すなわち、本考案の第１は、水透過性材料からなるコーヒーバッグ本体と薄板状部材から形成されるフック片から構成されているコーヒーバッグであって、フック片は上辺部でコーヒーバッグ本体の片側に固着され、フック片には両側及び上側の３辺で切れ込みによって形成され、フック片から連らなっている境界部分を基点として折り曲げ可能な支持片と、フック片から切り離し可能でありコーヒーバッグ本体に固着されているフック片固定部とからなるコーヒーバッグである。
【００１２】
本考案の第２は、水透過性材料からなるコーヒーバッグ本体と薄板状部材から形成されるフック片から構成されているコーヒーバッグであって、フック片は上辺部でコーヒーバッグ本体の片側に固着され、フック片には両側及び上側の３辺で切れ込みによって形成され、フック片から連らなっている境界部分を基点として折り曲げ可能な支持片とからなるコーヒーバッグである。
【００１３】
本考案の第３は、フック片がほぼ丁字形状に形成されている本考案の第１または本考案の第２に記載するコーヒーバッグである。
【００１４】
本考案の第４は、フック片とこれに連なる支持片との境界部分に折り曲げ線が形成されている本考案の第１ないし第３に記載されたコーヒーバッグである。
【考案の効果】
【００１５】
本考案によれば、一枚の薄板部材に単純な切り込みをしただけの簡素な構造であり、製作費用が掛からず、しかも安定且つ安全にコーヒーバッグをカップに掛止できる。
【００１６】
また、本考案によれば、全体に簡単な構造であり、また柔軟な係止片で支えているため、あらゆる形状のカップに対応可能である。
【００１７】
さらに、本考案によれば、柔軟で長さのある係止片でコーヒーバッグ全体を支えているために、コーヒーバッグをカップの縁に掛止してから、コーヒーバッグの上部を摘んで多少上下をしても支えが外れることはないために、カップに湯を注いでから、糸で吊したタイプでは可能であったが従来のフックタイプではできなかった、コーヒーバッグを上下してコーヒー等をより抽出し易くする操作をすることができる。
【００１８】
さらにまた、糸で吊すタイプでは、湯を注いぐ際に、当初から安定をしているのではないので、何度コーヒーバッグを上下すれば適度なコーヒー等の抽出ができるかの目安を得ることができ難いが、本考案によれば、コーヒーバッグ本体は湯を注いでもカップの内側の一定の箇所に安定をしているので、何度コーヒーバッグを上下すれば適度なコーヒー等の抽出ができるかの目安を得ることができる。
【考案を実施するための最良の形態】
【００１９】
水透過性のコーヒーバッグ本体と紙製のほぼ丁字形状のフック片から構成されているコーヒーバッグであって、フック片は上辺部でコーヒーバッグ本体の片側に固着され、フック片には両側及び上側の３辺でフック片から切り離されフック片から連らなっている境界部分には折り曲げ線が設けられておりここを基点として折り曲げ可能な支持片と、フック片から切り離すことができコーヒーバッグ本体に固着されているフック片固定部とからなるコーヒーバッグである。
【実施例】
【００２０】
以下添付図面に従って、１実施例のコーヒーバッグについて説明する。
図１は、本考案に係るコーヒーバッグの正面図であり、コーヒーバッグ本体１とフック片２とはフック片２の上辺部２１でコーヒーバッグ本体１に固着されている。
【００２１】
コーヒーバッグ本体１は、水透過性材であるポリプロピレンの繊維を含む不織布からなる。
【００２２】
フック片２は、上辺部２１がこれに連なるフック片本体部２２より幅広であり、全体として丁字状の形状である。上辺部２１とフック片本体部２２との境目には折り線２ａが設けられている。
フック片２は、クラフト紙などの紙であるが、プラスチックでも可能であり、カップの縁に掛止したり、支持片２３の反発力でコーヒーカップＣの側面を支えることができる程度の強さがあればよい。
なお、フック片２は、図１に示された実施例の丁字状の形状にしてフック片本体部２２をより細くすることによって、コーヒーカップの曲面に沿って掛止めすることにはより好ましい形状といえるが、図３の通り、全体がほぼ矩形状の形状としてもよく、また図示はしないが、その他逆三角形状、台形その他任意の形状とすることは可能である。
【００２３】
フック片本体部２２の中央部には、両側及び上側の３辺に切り込み３をいれて下のところだけでフック片本体部２２と連なっている支持片２３が形成されている。この切れ込み部３には一部分で切れ込みを入れずに支持片２３がフック片本体部２２と連なっている連接部２ｃを残している。支持片２３を使用時まで、フック片本体部２２に固定しておくためである。なお、連接部２ｃを残さずに、切れ込み３のみで支持片２３とすることも可能である。
支持片２３は、図示はしていないが、２つ以上の複数を設けることも可能である。
また、実施例では、長方形状の形状となっているが、先端部分のみを円形にしたり、形状は自由に決めることができる。
【００２４】
支持片２３の下には、コーヒーバッグ本体１に固着しているフック片固定部２４が丸く切り込まれて形成され、切り込み４の一部で切り込みを入れずにフック片固定部２４がフック片本体部２２と連なっている連設部２ｄが残されている。
このフック片固定部２４によって使用をするまでフック片本体部２２が捲り上がることなくコーヒーバッグ本体２に固定しておくためである。
図２は、フック片固定部２４がないタイプのものであるが、これによっても本考案のコーヒーバッグの実施は可能である。
【００２５】
なお、フック片２の上辺部２１及びフック片固定部２４は、コーヒーバッグ本体１の不織布にポリプロピレンの繊維が用いられていることから、熱溶着によりそれぞれ固定する。無論、接着剤で固定することも可能であるが、高温の湯に浸されることから熱溶着による方法が望ましい。
【００２６】
本考案に係るコーヒーバッグを使用する場合は、フック片本体部２２のフック片固定部２４からフック片本体部２２を外し、コーヒーカップＣの内側にコーヒーバッグ本体１を、フック片本体部２２を外側にしてコーヒーカップＣの縁を跨って挟み込むようすると共に、支持片２３をフック片本体部２２から切り離しコーヒーカップＣ側に折り曲げ線２ｂを基点として１８０°近くに折り曲げると、その反発で支持片２３の先端部分がコーヒーカップの側面と接触してフック片２を支えて、図４及び図５に示す通りにコーヒーバッグ１をコーヒーカップの縁に固定する。
【００２７】
すなわち、本発明に係るコーヒーバッグをコップに掛止した場合は、一般的には図４に示す通りとなり、コーヒーカップに高さがあり、口の部分よりも下に向かって全体的に細くなっているタイプのカップの場合には、図５に示す通りとなる。
図４の場合では、フック片２は、コーヒーバッグに対して直角方向にコーヒーカップＣから突き出るようになるが、この場合でも支持片２３によってコーヒーカップの側面を支えて、コーヒーバッグを安定的に確実にコーヒーカップＣに掛止、固定できる。
【００２８】
また、図５の場合では、コーヒーバッグ本体１が全体としてコーヒーカップＣの中により落とし込まれて、コーヒーカップＣの縁をフック片２と支持片２３とで両者の折り線の近辺で挟んで支えることとなる。この場合でも支持片２３はコーヒーカップＣの側面に沿って下垂したような状態となるが、支持片２３の反発力によって、コーヒーカップＣに確実に安定して掛止、固定することができる。
【００２９】
このように、本発明のコーヒーバッグによれば、あらゆる形状のコーヒーカップＣに対応することができ、お湯を注いでも、コーヒーバッグは浮き上がったり、動いたりせず固定することができ、また必要に応じてコーヒーバッグの上部を摘んで上下に揺らすことによってコーヒーの抽出を効率よくすることができる。
【図面の簡単な説明】
【００３０】
【図１】本考案に係るコーヒーバッグの正面図である。
【図２】本考案に係るコーヒーバッグの正面図である。
【図３】本考案に係るコーヒーバッグの正面図である。
【図４】本考案に係るコーヒーバッグの使用状態を示す斜視図である。
【図５】本考案に係るコーヒーバッグの使用状態を示す斜視図である。
【符号の説明】
【００３１】
１・・・コーヒーバッグ本体
２・・・フック片
２１・・上辺部
２２・・フック片本体部
２３・・支持片
２４・・フック片固定部
２ａ・・折り線
２ｂ・・折り線
２ｃ・・連設部
２ｄ・・連設部
３・・・切り込み部
４・・・切り込み部
Ｃ・・・コーヒーカップ
【図１】
0003140084.tif 000003
【図２】
0003140084.tif 000004
【図３】
0003140084.tif 000005
【図４】
0003140084.tif 000006
【図５】
0003140084.tif 000007